(57)【要約】【課題】寒冷地や冬期などにおいて、光源としての冷陰極管の周囲温度が低くなるような場合であっても、その冷陰極管を点灯直後から所定の照度で明るく発光させてかご室内を安定して照明することができるエレベータのかご室照明装置を提供する。【解決手段】エレベータのかご室１の天井部に、そのかご室内照明用の光源として冷陰極管１２を設け、この冷陰極管１２に対してヒータ１５を設け、このヒータ１５により前記冷陰極管１２が点灯直後から安定照度で発光することが可能な温度に保温する。【選択図】    図２
2006076733.tif 000002
【特許請求の範囲】
【請求項１】
エレベータのかご室と、
前記かご室の天井部に、かご室内照明用の光源として設けられた冷陰極管と、
前記冷陰極管を加熱して保温することが可能な保温手段と、
を具備することを特徴とするエレベータのかご室照明装置。
【請求項２】
前記保温手段は、前記冷陰極管に対向して配置されたヒータを備え、そのヒータで前記冷陰極管が点灯直後から安定照度で発光することが可能な温度に冷陰極管を保温することを特徴とする請求項１に記載のエレベータのかご室照明装置。
【請求項３】
前記ヒータの通電回路中には、手動でその通電回路を開閉することが可能なスイッチ機構が設けられていることを特徴とする請求項２に記載のエレベータのかご室照明装置。
【請求項４】
前記ヒータの通電回路中には、その通電回路を前記冷陰極管の周囲温度に応じて自動的に開閉することが可能な自動温度調節器が設けられていることを特徴とする請求項２に記載のエレベータのかご室照明装置。
【請求項５】
前記自動温度調節器は、前記冷陰極管の周囲温度が、その冷陰極管が点灯直後から安定照度で発光することが可能な温度未満のときに前記ヒータの通電回路を閉成し、その冷陰極管が点灯直後から安定照度で発光することが可能な温度以上のときに前記ヒータの通電回路を開放することを特徴とする請求項４に記載のエレベータのかご室照明装置。
【発明の詳細な説明】
【技術分野】
【０００１】
この発明は、エレベータのかご室内を照明するかご室照明装置に関する。
【背景技術】
【０００２】
エレベータのかご室の天井部には照明箱が取り付けられている。この照明箱は下面に大きな開口部を有し、この開口部に光透過性の例えば合成樹脂からなる照明板が設けられている。そして照明箱内に光源が設けられ、この光源の光が前記照明板を通してかご室内に拡散されてかご室内が照明される。
【０００３】
かご室の天井部に設けられる光源としては、蛍光ランプ（熱陰極管）が用いられている。しかしながら、蛍光ランプ（熱陰極管）はその口径が比較的大きく、また寿命が比較的短いという難点ある。
【０００４】
そこで、本出願人は、かご室の天井部に設ける光源として、冷陰極管（冷陰極蛍光ランプ）を用いる提案をしている。冷陰極管は、１〜６ｍｍ程度の直径を有する細長筒状の透光性放電容器と、この放電容器の両端部に封止された一対の冷陰極と、放電容器の内面に塗布された蛍光体と、放電容器内に封入された放電媒体とを備え、陰極が加熱されることなく発光するため、点灯・消灯の回数によって寿命が左右されることがほとんどなく長寿命であり、また電圧を印加すると即点灯し、発光までの時間的な遅れがないという有利な特性をもっている。
【０００５】
このような冷陰極管を光源として用いる場合、その冷陰極管は電源回路およびインバータを介して点灯される。すなわち、電源回路には交流電源１００Ｖが供給され、この交流電源がＡＶＲなどを用いて所定の例えば直流電圧２４Ｖに変圧されてインバータに供給される。インバータは電源回路から印加される直流電圧を所定の周波数の交流電圧に変換し、その変換した交流電圧を冷陰極管に印加し、冷陰極管を点灯させる。
【発明の開示】
【発明が解決しようとする課題】
【０００６】
ところが、冷陰極管はその点灯時の明るさが周囲温度の影響を受けて変化するという特性があり、例えば寒冷地などで周囲温度が冷え込んで温度が低いときには点灯時の照度が低下する。
【０００７】
特に周囲温度が５℃以下になると、点灯直後の相対照度は１０％となり、−１０℃以下の寒冷地などでは、インバータを始動させても冷陰極管が正常に点灯しないような場合がある。また、寒冷地に限らず、冬期に周囲温度が下がり、５℃以下になるような環境下でも冷陰極管の点灯直後の照度が低下し、あるいは正常に点灯しない場合がある。
【０００８】
一般にエレベータは、省エネルギーの観点から一定時間が過ぎても乗客が利用しないときには、かご室内の照明装置を消灯し、乗客がエレベータを利用するためのボタンを操作したときにかご室内の照明装置を点灯させるシステムが採用されている。
【０００９】
このような場合にも、寒冷地や冬期などにおいて冷陰極管の周囲温度が低いと、点灯開始直後では、冷陰極管内の電子の飛び方が低く安定しないため、点灯直後は暗く、だんだん時間が経過するに従い徐々に明るくなるという現象が起き、かご内に乗客が乗ったときにはかご室内が暗く感じることがある。
【００１０】
点灯開始後には、冷陰極管自身の発光熱で表面温度が上がり、電子の飛び方が徐々に安定し、明るさも安定するが、所定の照度に安定するまでには、約１分間ほど時間がかかり、その時間内では乗客が降りてしまうこともあり、サービス性の点で問題がある。
【００１１】
この発明はこのような点に着目してなされたもので、その目的とするところは、寒冷地や冬期などにおいて、冷陰極管の周囲温度が低くなるような場合であっても、その冷陰極管を点灯直後から所定の照度で明るく発光させてかご室内を安定して照明することができるエレベータのかご室照明装置を提供することにある。
【課題を解決するための手段】
【００１２】
請求項１の発明は、エレベータのかご室と、前記かご室の天井部に、かご室内照明用の光源として設けられた冷陰極管と、前記冷陰極管を加熱して保温することが可能な保温手段とを具備することを特徴としている。
【００１３】
請求項２の発明は、前記保温手段が、前記冷陰極管に対向して配置されたヒータを備え、そのヒータで前記冷陰極管が点灯直後から安定照度で発光することが可能な温度に冷陰極管を保温することを特徴としている。
【００１４】
請求項３の発明は、前記ヒータの通電回路中には、手動でその通電回路を開閉することが可能なスイッチ機構が設けられていることを特徴としている。
【００１５】
請求項４の発明は、前記ヒータの通電回路中には、その通電回路を前記冷陰極管の周囲温度に応じて自動的に開閉することが可能な自動温度調節器が設けられていることを特徴としている。
【００１６】
請求項５の発明は、前記自動温度調節器は、前記冷陰極管の周囲温度が、その冷陰極管が点灯直後から安定照度で発光することが可能な温度未満のときに前記ヒータの通電回路を閉成し、その冷陰極管が点灯直後から安定照度で発光することが可能な温度以上のときに前記ヒータの通電回路を開放することを特徴としている。
【発明の効果】
【００１７】
この発明によれば、寒冷地や冬期などにおいて、冷陰極管の周囲温度が低くなるような場合であっても、その冷陰極管を点灯直後から所定の照度で明るく発光させてかご室内を安定して照明することができる。
【発明を実施するための最良の形態】
【００１８】
以下、この発明の実施形態について図面を参照して説明する。
【００１９】
図１にはエレベータのかご室１の天井部の構成を概略的に示してある。かご室１の天井部には照明箱２が取り付けられ、この照明箱２は下面に大きな開口部３を有し、この開口部３に光透過性の例えば合成樹脂で形成された照明板４が設けられている。
【００２０】
照明箱２の天井面には複数の光源ユニット８が並列して取り付けられている。図２には照明箱２内の光源ユニット８の配列状態の平面図を、図３には光源ユニット８の断面図を、図４には光源ユニット８の分解状態の斜視図をそれぞれ示してある。
【００２１】
照明箱２内に設けられた各光源ユニット８は、反射板を兼ねるベース板１０と、このベース板１０の表面の上にそれぞれソケット１１を介して取り付けられた光源としての一対の冷陰極管１２と、これら冷陰極管１２を覆うようにベース板１０に取り付けられたカバー１３とを有し、前記一対の冷陰極管１２は互に平行に並ぶように支持され、前記カバー１３は例えば光透過性の合成樹脂で形成されている。
【００２２】
そしてベース板１０と各冷陰極管１２との間には保温手段として電熱式のヒータ１５が設けられている。各ヒータ１５は各冷陰極管１２と離間して対向するようにベース板１０の表面に取り付けられている。また、ベース板１０には、冷陰極管１２の点灯用のインバータ１６が取り付けられている。
【００２３】
図１および図２に示すように、かご室１の上部には電源回路ユニット２０が設けられている。そしてこの電源回路ユニット２０に交流電源１００Ｖが供給され、この交流電源がＡＶＲなどを用いて所定の例えば直流電圧２４Ｖに変圧されて前記インバータ１６にそれぞれ供給される。各インバータ１６は、電源回路ユニット２０から印加される直流電圧を所定の周波数の交流電圧に変換し、その変換した交流電圧を冷陰極管１２に印加し、この交流電圧の印加で冷陰極管１２が点灯する。
【００２４】
各光源ユニット８に設けられたヒータ１５は、冷陰極管１２の点灯、消灯に関わりなく、通電回路（図示せず）を介して常時通電され、これらヒータ１５により各冷陰極管１２は、点灯直後から安定照度で発光することが可能な温度、例えば２５℃に保温される。
【００２５】
したがって、寒冷地や冬期などにおいて、冷陰極管１２にインバータ１６を介して電源が投入されたときには、冷陰極管１２の点灯開始直後から電子の飛び方が安定し、所定の照度で発光し、かご室１内が安定した所定の明るさで照明される。
【００２６】
また、エレベータが一定時間利用されずに各冷陰極管１２が消灯されている状態から乗客がエレベータを利用するためのボタンを操作し、この操作で各冷陰極管１２に電源が投入されたときにも、冷陰極管１２の点灯開始直後から冷陰極管１２が所定の照度で発光し、かご室１内が安定した所定の明るさで照明され、したがって乗客がかご室１内に乗り込んだときにはかご室１内が暗く、その後、徐々に明るくなるという不都合がなく、乗客に対するサービス性が向上する。
【００２７】
さらにこの実施形態では、各冷陰極管１２がヒータ１５を介して常時常温（２５℃）に保持されるため、冷陰極管１２の寿命をより長くすることができる。
【００２８】
図５および図６には第２の実施形態を示してあり、この実施形態においては、図５に示すように、各光源ユニット８に設けられたヒータ１５を通電するための通電回路中にその開閉用のスイッチ機構２５が設けられている。このスイッチ機構２５は図６に示すように例えば一つの光源ユニット８におけるインバータ１６の基板に取り付けられ、その光源ユニット８の外部から手動で操作することができるようになっている。
【００２９】
この実施形態の場合には、夏期などにおいて、冷陰極管１２の周囲温度が安定照度を得られる例えば２５℃以上のときには、前記スイッチ機構２５を手動で開放操作して各ヒータ１５に対する通電を遮断する。
【００３０】
これにより、ヒータ１５対する無用な通電を防止して無用な電力の消費を抑えることができる。そしてヒータ１５を通電することなく、その周囲の温度で冷陰極管１２の表面温度を安定照度温度に保持することができるから、点灯開始直後から冷陰極管１２を所定の照度に発光させてかご室内を安定した明るさに保つことができる。
【００３１】
図７および図８には第３の実施形態を示してあり、この実施形態においては、図７に示すように、ヒータ１５の通電回路中にその通電回路を開閉する自動温度調節器２８が設けられ、この自動温度調節器２８により冷陰極管１２の周囲温度が感知され、その周囲温度が例えば２５℃未満のときには各ヒータ１５の通電回路が閉成され、２５℃以上のときに各ヒータ１５の通電回路が開放されるようになっている。この自動温度調節器２８は、図８に示すように例えば一つの光源ユニット８におけるインバータ１６の基板に取り付けられている。
【００３２】
この実施形態においては、冷陰極管１２の周囲温度が安定照度温度未満のときには自動温度調節器２８を通して各ヒータ１５が通電され、この通電により各冷陰極管１２が加熱されて安定照度温度以上となるように自動的に保温され、したがって点灯開始直後から冷陰極管１２を所定の照度に発光させてかご室内を安定した明るさに保つことができる。
【００３３】
そして、冷陰極管１２の周囲温度が安定照度温度以上のときにはその温度が自動温度調節器２８により感知され、ヒータ１５の通電回路が自動的に開放され、これによりヒータ１５に対する無用な通電が防止され、無用な電力の消費が抑えられる。
【００３４】
ところで、エレベータのかご室内を照明する光源としては、ＬＥＤ（発光ダイオード）や有機ＥＬ（エレクトロルミネッセンス）を用いることも可能である。この場合、例えば複数の白色のＬＥＤや有機ＥＬの素子を適宜な形状のホルダ等に組み付けて棒状、リング状あるいは二次元平面状等の形態にユニット化し、そのユニットをかご室の天井の照明箱内に組み込む。なお、１個のＬＥＤや有機ＥＬの素子を用いて棒状、リング状あるいは二次元平面状等に構成することも可能である。
【００３５】
照明箱内には、光源としてＬＥＤのみを組み込む場合であっても、有機ＥＬのみを組み込む場合であっても、あるいはＬＥＤと有機ＥＬとを適数ずつ組み合わせて組み込む場合であってもよい。
【００３６】
ＬＥＤや有機ＥＬは白色のものを用いる場合のほか、周囲環境、光量、使用時間帯、使用季節等に応じて他の色のものを用いることも可能であり、また複数の色のＬＥＤや有機ＥＬを混在させることも可能である。さらに、光源としてＬＥＤや有機ＥＬと併せて冷陰極蛍光ランプを照明箱内に組み込んでかご室照明装置として構成することも可能である。
【００３７】
なお、ＬＥＤや有機ＥＬを発光させる手段としては、従来一般に使用されている駆動制御装置を用いることは言うまでもない。
【図面の簡単な説明】
【００３８】
【図１】この発明の第１の実施形態に係るかご室照明装置の構成図。
【図２】そのかご室照明装置を下から見た平面図。
【図３】そのかご室照明装置における光源ユニットの断面図。
【図４】その光源ユニットの分解状態の斜視図。
【図５】この発明の第２の実施形態に係るかご室照明装置におけるヒータの通電回路図。
【図６】そのかご室照明装置における光源ユニットの分解状態の斜視図。
【図７】この発明の第３の実施形態に係るかご室照明装置におけるヒータの通電回路図。
【図８】そのかご室照明装置における光源ユニットの分解状態の斜視図。
【符号の説明】
【００３９】
１…かご室
２…照明箱
３…開口部
４…照明板
８…光源ユニット
１０…ベース板
１１…ソケット
１２…冷陰極管
１３…カバー
１５…ヒータ
１６…インバータ
２０…電源回路ユニット
２５…スイッチ機構
２８…自動温度調節器
【図１】
2006076733.tif 000003
【図２】
2006076733.tif 000004
【図３】
2006076733.tif 000005
【図４】
2006076733.tif 000006
【図５】
2006076733.tif 000007
【図６】
2006076733.tif 000008
【図７】
2006076733.tif 000009
【図８】
2006076733.tif 000010